(57)【要約】【課題】複雑な通信を行わなくても受信機の誤動作を防止し易い通信モジュールを提供する。【解決手段】無線信号を送信する送信機１０と、送信機１０が送信した無線信号を受信する受信機３０と、を備えた無線通信システム１において、無線信号は、送信機１０から正規に送信された無線信号か否かを判別するための識別コードを含み、送信機１０は、無線信号を送信する度に、識別コードを変化させて新しい識別コードを生成するコード生成手段を有し、受信機３０は、識別コードの変化に基づいて、受信した無線信号が送信機１０から正規に送信された無線信号か否かを判別するコード判別手段を有することを特徴とする。【選択図】図１
2015232861.tif 000002
【特許請求の範囲】
【請求項１】
無線信号を送信する送信機と、
前記送信機が送信した前記無線信号を受信する受信機と、
を備えた無線通信システムにおいて、
前記無線信号は、
前記送信機から正規に送信された無線信号か否かを判別するための識別コードを含み、
前記送信機は、
前記無線信号を送信する度に、
前記識別コードを変化させて新しい識別コードを生成するコード生成手段を有し、
前記受信機は、
前記識別コードの変化に基づいて、
受信した前記無線信号が前記送信機から正規に送信された無線信号か否かを判別するコード判別手段を有することを特徴とする無線通信システム。
【請求項２】
前記コード生成手段は、
前回生成した前記識別コードを記憶する第１記憶部と、
前記識別コードを所定の変化手順に従って変化させるコード変化部と、
を有し、
前記コード判別手段は、
前回受信した前記無線信号の識別コードを記憶する第２記憶部と、
前回受信した前記無線信号の識別コードから今回受信した前記無線信号の識別コードへの前記識別コードの変化を検出する演算部と、
前記識別コードの変化と前記変化手順とに基づいて、
前記無線信号が前記送信機から正規に送信された無線信号か否かを判定する判定部と、
を有し、
前記判定部は、
前記識別コードの変化が前記変化手順に合致した変化である場合に、
前記無線信号が前記送信機から正規に送信された無線信号であると判定し、
前記識別コードの変化が前記変化手順に合致した変化ではない場合に、
前記無線信号が前記送信機から正規に送信された無線信号ではないと判定することを特徴とする、
請求項１に記載の無線通信システム。
【請求項３】
前記識別コードは、
変更可能な数値部分を含み、
前記コード変化部は、
前記無線信号を送信する度に、
前記識別コードの数値を所定の数だけ増加させ、
前記判定部は、
今回受信した前記無線信号の識別コードの数値が、
前回受信した前記無線信号の識別コードの数値よりも増加していた場合に、
前記無線信号が前記送信機から正規に送信された無線信号であると判定し、
今回受信した前記無線信号の識別コードの数値が、
前回受信した前記無線信号の識別コードの数値と等しいか減少していた場合に、
前記無線信号が前記送信機から正規に送信された無線信号ではないと判定することを特徴とする、
請求項２に記載の無線通信システム。
【請求項４】
前記受信機は、
前記無線信号が前記送信機から正規に送信された無線信号であると判定された場合には、
前記無線信号に対応して所定の動作を実行し、
前記無線信号が前記送信機から正規に送信された無線信号ではないと判定された場合には、
前記所定の動作を実行しないことを特徴とする、
請求項１ないし請求項３のいずれかに記載の無線通信システム。
【請求項５】
前記送信機は、
所定の操作を受け付ける操作部と、
前記操作部に対する操作と連動して電力を発生させる発電部と、
を備えた発電スイッチを有し、
前記発電部が発生させた電力が、
前記無線信号を送信するための電力として使用されることを特徴とする、
請求項１ないし請求項４のいずれかに記載の無線通信システム。
【発明の詳細な説明】
【技術分野】
【０００１】
本発明は、無線通信システムに関し、特に、複雑な通信を行わなくても無線信号の秘匿性を高めることができる無線通信システムに関する。
【背景技術】
【０００２】
近年、押圧操作や摺動操作等の所定の操作を受け付ける操作スイッチと、操作スイッチに対する操作と連動した誘導起電力等を利用して電力を発生させる発電手段と、操作スイッチに対する操作と連動して受信機に無線信号を送信する信号送信手段と、を有した発電スイッチが実用化されている。このような発電スイッチは、受信機となるＦＡ機器等に無線信号を送信し、ＦＡ機器等の動作の制御を無線で行う無線通信システムの送信機として利用されている。
【０００３】
このような無線通信システムでは、ＦＡ機器等の受信機の誤動作を防止するために、送信機から送信される無線信号の秘匿性が重要となる。この場合の無線信号の秘匿性は、無線信号を第３者が不正に受信して解読できないようにするだけでなく、送信機から送信された無線信号を第３者が不正にコピーして再送信しても、受信機が誤動作しないようにすることも含む。そして、無線信号の秘匿性を高めるためには、送信機から正規に送信された無線信号か否かを受信機が判別できる必要がある。
【０００４】
無線信号の秘匿性を高めた無線通信システムとしては、特許文献１に係る無線通信システム等が提案されている。図８は、特許文献１に係る無線通信システム１０１の構成を示す説明図である。
【０００５】
無線通信システム１０１は、図８に示すように、複数の送信局１１１（送信機）と、複数の受信局１１２（受信機）と、受信局１１２に接続されたデータ管理手段１１３と、複数のコード送信手段１１７と、を備えている。
【０００６】
送信局１１１は、無線信号を送信する単方向無線装置である。送信局１１１は、無線信号を送信する際に、予め登録された複数の識別コード１１４の中から１つの識別コードを選択し、選択した識別コードを無線信号と共に送信している。尚、送信局１１１は、無線信号を送信する度に（又はそれ以下の頻度で）、予め登録された複数の識別コード１１４の中から異なる識別コードを選択している。
【０００７】
受信局１１２は、送信局１１１が送信した無線信号と識別コードとを受信している。データ管理手段１１３は、予め登録された複数の識別コード１１５と受信局１１２が受信した識別コードとを比較している。そして、データ管理手段１１３は、予め登録された複数の識別コード１１５の中に受信局１１２が受信した識別コードと一致するものが存在する場合に、受信局１１２が受信した識別コードを送信局１１１が送信した識別コードであると認識している。
【０００８】
コード送信手段１１７は、データ管理手段１１３に予め登録されている識別コード１１５とは異なるコード１１６を、ダミーの識別コードとして送信している。
【０００９】
無線通信システム１０１では、このように、送信局１１１が、無線信号を送信する度に（又はそれ以下の頻度で）、予め登録された複数の識別コード１１４の中から異なる識別コードを選択することによって、識別コードを特定し難くしている。また、コード送信手段１１７が、データ管理手段１１３に予め登録されている識別コード１１５とは異なるコード１１６を、ダミーの識別コードとして送信することによっても、識別コードを特定し難くしている。無線通信システム１０１では、これらの方法によって無線信号の秘匿性を高めている。
【先行技術文献】
【特許文献】
【００１０】
【特許文献１】特開２００６−６７０６２号公報
【発明の概要】
【発明が解決しようとする課題】
【００１１】
特許文献１に示すような方法では、送信局１１１は、有限の識別コードの中から１つの識別コードを選択するので、無線信号を送信する回数が多くなると、同じ識別コードを使用せざるを得なくなる。そして、同じ識別コードを頻繁に使用すると、無線信号を第３者が不正に受信して解読し易くなる。また、送信機から送信された無線信号を第３者が不正にコピーして再送信した時に、受信機が誤動作する可能性が高くなる。その結果、無線信号の秘匿性を十分高められないという課題があった。有限の識別コードを使用する場合でも、予め登録する識別コードの数を多くすれば、無線信号の秘匿性を高めることはできるが、十分な秘匿性を得ようとすると予め登録する識別コードの数が膨大になってしまうので現実的ではない。
【００１２】
無線信号の秘匿性を高めるための他の方法としては、送信機と受信機との間で双方向通信を行い、送信機と受信機との双方向通信を利用して相互認証を行う方法もある。しかしながら、発電スイッチを送信機として利用する場合、送信機を動作させる時間は発電スイッチを操作した直後に限定される。また、発電スイッチが発生させる電力はそれ程大きくないので、無線信号を送信するための電力も制限されるので、少ない情報量の無線信号を短時間で受信機に送信することが望ましい。そのため、発電スイッチを送信機として利用するような場合には、無線信号を送信する度に送信機と受信機との間で双方向通信を行うような複雑な通信は適さない。
【００１３】
本発明は、このような従来技術の実情に鑑みてなされたもので、その目的は、複雑な通信を行わなくても無線信号の秘匿性を高めることができる無線通信システムを提供することにある。
【課題を解決するための手段】
【００１４】
この課題を解決するために、請求項１に記載の無線通信システムは、無線信号を送信する送信機と、前記送信機が送信した前記無線信号を受信する受信機と、を備えた無線通信システムにおいて、前記無線信号は、前記送信機から正規に送信された無線信号か否かを判別するための識別コードを含み、前記送信機は、前記無線信号を送信する度に、前記識別コードを変化させて新しい識別コードを生成するコード生成手段を有し、前記受信機は、前記識別コードの変化に基づいて、受信した前記無線信号が前記送信機から正規に送信された無線信号か否かを判別するコード判別手段を有することを特徴とする。
【００１５】
この構成の無線通信システムでは、送信機は、無線信号を送信する度に、識別コードを変化させて新しい識別コードを生成するコード生成手段を有している。そのため、送信機側では、膨大な数の識別コードを予め登録しなくても、無線信号を送信する度に、新しい識別コードを生成することができる。しかも、受信機は、識別コードの変化に基づいて、受信した無線信号が送信機から正規に送信された無線信号か否かを判別するコード判別手段を有している。そのため、受信機側では、送信機と受信機との間で双方向通信を行うような複雑な通信をしなくても、受信した無線信号が送信機から正規に送信された無線信号か否かを判別することができる。その結果、この構成の無線通信システムでは、複雑な通信を行わなくても無線信号の秘匿性を高めることができる。
【００１６】
請求項２に記載の無線通信システムでは、前記コード生成手段は、前回生成した前記識別コードを記憶する第１記憶部と、前記識別コードを所定の変化手順に従って変化させるコード変化部と、を有し、前記コード判別手段は、前回受信した前記無線信号の識別コードを記憶する第２記憶部と、前回受信した前記無線信号の識別コードから今回受信した前記無線信号の識別コードへの前記識別コードの変化を検出する演算部と、前記識別コードの変化と前記変化手順とに基づいて、前記無線信号が前記送信機から正規に送信された無線信号か否かを判定する判定部と、を有し、前記判定部は、前記識別コードの変化が前記変化手順に合致した変化である場合に、前記無線信号が前記送信機から正規に送信された無線信号であると判定し、前記識別コードの変化が前記変化手順に合致した変化ではない場合に、前記無線信号が前記送信機から正規に送信された無線信号ではないと判定することを特徴とする。
【００１７】
この構成の無線通信システムでは、コード生成手段は、前回生成した識別コードを記憶する第１記憶部と、識別コードを所定の変化手順に従って変化させるコード変化部と、を有している。そのため、コード生成手段は、第１記憶部とコード変化部とを用いて、容易に識別コードを変化させることができる。しかも、コード判別手段は、前回受信した無線信号の識別コードを記憶する第２記憶部と、前回受信した無線信号の識別コードから今回受信した無線信号の識別コードへの識別コードの変化を検出する演算部と、識別コードの変化と変化手順とに基づいて、無線信号が送信機から正規に送信された無線信号か否かを判定する判定部と、を有している。そのため、コード判別手段は、第２記憶部と演算部と判定部とを用いて、識別コードの変化の検出と、送信機から正規に送信された無線信号であるか否かの判別と、を容易に行うことができる。
【００１８】
請求項３に記載の無線通信システムでは、前記識別コードは、変更可能な数値部分を含み、前記コード変化部は、前記無線信号を送信する度に、前記識別コードの数値を所定の数だけ増加させ、前記判定部は、今回受信した前記無線信号の識別コードの数値が、前回受信した前記無線信号の識別コードの数値よりも増加していた場合に、前記無線信号が前記送信機から正規に送信された無線信号であると判定し、今回受信した前記無線信号の識別コードの数値が、前回受信した前記無線信号の識別コードの数値と等しいか減少していた場合に、前記無線信号が前記送信機から正規に送信された無線信号ではないと判定することを特徴とする。
【００１９】
この構成の無線通信システムでは、識別コードの変化は、無線信号を送信する度に、識別コードの数値を所定の数だけ増加させるという簡単な変化である。そのため、コード変化部は、識別コードの変化を簡単に行うことができる。また、判定部は、識別コードの数値が増加したか否かによって、送信機から正規に送信された無線信号か否かを簡単に判別することができる。
【００２０】
請求項４に記載の無線通信システムでは、前記受信機は、前記無線信号が前記送信機から正規に送信された無線信号であると判定された場合には、前記無線信号に対応して所定の動作を実行し、前記無線信号が前記送信機から正規に送信された無線信号ではないと判定された場合には、前記所定の動作を実行しないことを特徴とする。
【００２１】
この構成の無線通信システムでは、受信機は、無線信号が送信機から正規に送信された無線信号であると判定された場合には、無線信号に対応して所定の動作を実行し、無線信号が送信機から正規に送信された無線信号ではないと判定された場合には、所定の動作を実行しない。そのため、受信機側での誤動作を容易に防止することができる。
【００２２】
請求項５に記載の無線通信システムでは、前記送信機は、所定の操作を受け付ける操作部と、前記操作部に対する操作と連動して電力を発生させる発電部と、を備えた発電スイッチを有し、前記発電部が発生させた電力が、前記無線信号を送信するための電力として使用されることを特徴とする。
【００２３】
発電スイッチを送信機のスイッチとして使用し、発電スイッチが発生させた電力を無線信号を送信するための電力として使用する場合、電力を発生させる時間は発電スイッチを操作した直後に限定される。また、発電スイッチが発電できる電力はそれ程大きくないので、使用できる電力も制限される。そのため、送信機は、少ない情報量の無線信号を短時間で受信機に送信することが望ましい。それに対して、この構成の無線通信システムでは、複雑な通信を行わなくても無線信号の秘匿性を高めることができるので、少ない情報量の無線信号を短時間で受信機に送信し易い。そのため、この構成の無線通信システムは、発電スイッチを送信機に利用するような無線通信システムに好適である。
【発明の効果】
【００２４】
本発明によれば、複雑な通信を行わなくても無線信号の秘匿性を高めることができる無線通信システムを提供することができる。
【図面の簡単な説明】
【００２５】
【図１】本発明の実施形態に係る無線通信システム１の構成を示す説明図である。
【図２】図１に示す送信機１０の構成をより詳しく示す説明図である。
【図３】図１に示す受信機３０の構成をより詳しく示す説明図である。
【図４】本発明の実施形態に係る発電スイッチ２０の構造を示す第１の説明図である。
【図５】本発明の実施形態に係る発電スイッチ２０の構造を示す第２の説明図である。
【図６】図１に示す送信機１０側の動作手順を示すフローチャートである。
【図７】図１に示す受信機３０側の動作手順を示すフローチャートである。
【図８】特許文献１に係る無線通信システム１０１の構成を示す説明図である。
【発明を実施するための形態】
【００２６】
以下、本考案の実施形態について図面を参照しながら説明する。尚、各図において、Ｘ１方向を左方向、Ｘ２方向を右方向、Ｙ１方向を前方、Ｙ２方向を後方、Ｚ１方向を上方、Ｚ２方向を下方として、説明を進める。
【００２７】
まず、本発明の実施形態に係る無線通信システム１の構成について、図１ないし図５を用いて説明する。図１は、本発明の実施形態に係る無線通信システム１の構成を示す説明図である。図２は、図１に示す送信機１０の構成をより詳しく示す説明図である。図３は、図１に示す受信機３０の構成をより詳しく示す説明図である。図４は、本発明の実施形態に係る発電スイッチ２０の構造を示す第１の説明図である。図５は、本発明の実施形態に係る発電スイッチ２０の構造を示す第１の説明図である。図４（ａ）は、発電スイッチ２０の上面図であり、図４（ｂ）は、発電スイッチ２０の側面図である。図５は、発電スイッチ２０の分解斜視図である。
【００２８】
無線通信システム１は、図１に示すように、送信機１０と受信機３０とを備えている。本実施形態では、送信機１０は、ＦＡ機器等の動作を制御するための制御用の無線信号を送信する装置である。受信機３０は、送信機１０が送信する無線信号を受信し、受信した無線信号に対応してＦＡ機器等を駆動するための装置である。
【００２９】
送信機１０は、図１に示すように、信号送信部１１とコード生成部１２（コード生成手段）とスイッチ部１３と第１制御部１４とを有している。信号送信部１１は、図２に示すように、送信回路部１１ａと送信アンテナ１１ｂとを有している。送信回路部１１ａは、制御用の無線信号を生成している。そして、信号送信部１１は、送信回路部１１ａが生成した無線信号を送信アンテナ１１ｂを用いて受信機３０に送信している。
【００３０】
制御用の無線信号としては、９００ＭＨｚ帯の電磁波信号等が使用される。そして、送信回路部１１ａは、このような無線信号にＦＳＫ等のデジタル変調を加えることによって、送信機１０のＩＤ情報や、送信機１０から正規に送信された無線信号か否かを判定するための識別コードや、制御用の指示情報等の各種の情報を含んだ無線信号を生成している。識別コードは、変更可能な複数桁の数値部分を含んだ情報である。
【００３１】
コード生成部１２は、図２に示すように、第１記憶部１２ａとコード変化部１２ｂとを有している。第１記憶部１２ａは、ＳＲＡＭ等の不揮発性の記憶用半導体を有した回路である。第１記憶部１２ａは、送信機１０のＩＤ情報や前回生成した識別コード等を記憶している。コード変化部１２ｂは、演算用の半導体を有した回路である。コード変化部１２ｂは、無線信号を送信する度に、前回生成した識別コードを所定の変化手順に従って変化させて新しい識別コードを生成している。
【００３２】
本実施形態では、識別コードの変化は、前回生成した識別コードの数値に１を加えるという変化である。そのため、前回生成した識別コードの数値をＡ１とし、新しい識別コードの数値Ａ２とすると、数値Ａ１と数値Ａ２との関係は、Ａ２＝Ａ１＋１となり、識別コードの数値は、無線信号を送信する度に１ずつ増加していく。尚、初めて識別コードを生成する場合には、予め定められた初期値（例えば０）に１が加えられる。
【００３３】
スイッチ部１３は、図２に示すように、操作部１３ａと発電部１３ｂとを有している。操作部１３ａは、ユーザによる所定の操作を受け付けている。発電部１３ｂは、操作部１３ａに対する操作と連動して発電を行い、無線信号を送信するための電力を発生させている。スイッチ部１３としては、図４及び図５に示すような、スイッチ機能と発電機能とを有した発電スイッチ２０等が使用される。
【００３４】
発電スイッチ２０は、ユーザからの摺動操作によって作動するスライドスイッチである。発電スイッチ２０は、図４及び図５に示すように、上カバー２１と操作部材２２とスペーサ２３と回動部材２４と発電用コイル２５と磁路形成部材２６とケース２７とを有している。
【００３５】
操作部材２２は、上カバー２１とスペーサ２３との間に配置され、操作部材２２の操作ノブ２２ａが、上カバー２１に形成された開口部２１ａから上方に突出している。操作ノブ２２ａは、前後方向に摺動可能となっている。
【００３６】
回動部材２４は、操作部材２２と係合する係合部２４ａと、発電用磁石２４ｂと、を有している。係合部２４ａは、スペーサ２３に形成された開口部２３ａから上方に突出して、操作部材２２と係合している。発電用磁石２４ｂは、係合部２４ａの下端部に取り付けられた永久磁石である。回動部材２４は、操作ノブ２２ａの摺動と連動して発電用磁石２４ｂと共に回動するようになっている。
【００３７】
発電用コイル２５は、導線を角柱状に巻き回して形成されたコイルである。磁路形成部材２６は、細長く延びる軟磁性体できた部材である。発電用コイル２５と磁路形成部材２６とは、ケース２７に収容されている。そして、発電用コイル２５は、磁路形成部材２６の一部の周囲を囲むように配置されている。また、磁路形成部材２６が形成した磁路の途中には発電用磁石２４ｂが配置されており、発電用磁石２４ｂの回動に伴って、磁路形成部材２６が形成した磁路の周囲の磁界が変化するようになっている。発電用コイル２５の両端部は、それぞれ外部回路に接続される接続端子２８となっている。
【００３８】
発電スイッチ２０では、ユーザが操作ノブ２２ａを前後方向に摺動させると、それと連動して回動部材２４が発電用磁石２４ｂと共に回動する。そして、発電用磁石２４ｂの回動に伴って、磁路形成部材２６の周囲の磁界が変化する。そして、磁路形成部材２６の周囲の磁界の変化に伴って、２つの接続端子２８の間に誘導起電力が生じる。
【００３９】
２つの接続端子２８の間に生じた誘導起電力は、スイッチ操作のトリガー信号として利用される。また、発電スイッチ２０は、２つの接続端子２８の間に生じた誘導起電力を利用して発電を行い、所定の電力を発生させている。
【００４０】
そして、本実施形態では、発電スイッチ２０の操作ノブ２２ａが、スイッチ部１３の操作部１３ａとなっている。また、発電スイッチ２０の回動部材２４と発電用コイル２５と磁路形成部材２６とが、スイッチ部１３の発電部１３ｂとなっている。そして、発電スイッチ２０が発生させた電力は、送信機１０の信号送信部１１とコード生成部１２と第１制御部１４とに供給される。尚、このような誘導起電力を利用した発電スイッチの構造や発電の原理については公知なので、詳細な説明は省略する。
【００４１】
第１制御部１４は、制御用の半導体を有した回路である。第１制御部１４は、信号送信部１１とコード生成部１２とを制御している。そして、第１制御部１４は、スイッチ部１３への操作と連動して、コード生成部１２に識別コードを生成させると共に、信号送信部１１に制御用の無線信号を送信させている。
【００４２】
受信機３０は、図１に示すように、信号受信部３１とコード判別部３２（コード判別手段）と駆動部３３と第２制御部３４とを有している。信号受信部３１は、図３に示すように、受信アンテナ３１ａと受信回路部３１ｂとを有している。信号受信部３１は、送信機１０から送信される無線信号を、受信アンテナ３１ａを用いて受信している。そして、受信回路部３１ｂは、受信した無線信号の暗号を解除すると共に、無線信号を復調してＩＤ情報や識別コードや制御用の指示情報等を取り出している。
【００４３】
コード判別部３２は、図３に示すように、第２記憶部３２ａとＩＤ照合部３２ｂと演算部３２ｃと判定部３２ｄとを有している。第２記憶部３２ａは、ＤＲＡＭ等の記憶用半導体を有した回路である。第２記憶部３２ａは、予め登録されたＩＤ情報と前回受信した無線信号の識別コードとを記憶している。
【００４４】
ＩＤ照合部３２ｂは、ＩＤ情報の照合を行っている。ＩＤ照合部３２ｂは、受信した無線信号のＩＤ情報が予め登録されたＩＤ情報と一致した場合に、その無線信号を送信機１０が生成した無線信号であると判定している。また、ＩＤ照合部３２ｂは、受信した無線信号のＩＤ情報が予め登録されたＩＤ情報と一致しなかった場合に、その無線信号を送信機１０が生成した無線信号ではないと判定している。
【００４５】
但し、受信した無線信号のＩＤ情報が予め登録されたＩＤ情報と一致した場合でも、その無線信号が送信機１０から正規に送信された無線信号ではない可能性が有る。例えば、送信機１０から送信された無線信号を第３者が不正にコピーして再送信した場合には、同じＩＤ情報を含む無線信号が不正に送信されてしまう。そのため、本実施形態では、受信機３０は、演算部３２ｃと判定部３２ｄとを用いて、受信した無線信号が送信機１０から正規に送信された無線信号か否かを判別している。
【００４６】
演算部３２ｃは、演算用の半導体を有した回路である。演算部３２ｃは、前回受信した無線信号の識別コードと今回受信した無線信号の識別コードとを比較し、前回受信した無線信号の識別コードから今回受信した無線信号の識別コードへの識別コードの変化を検出している。判定部３２ｄも、演算用の半導体を有した回路である。判定部３２ｄは、演算部３２ｃが検出した識別コードの変化に基づいて、受信した無線信号が送信機１０から正規に送信された無線信号か否かを判別している。
【００４７】
前述したように、送信機１０側では、無線信号を送信する度に識別コードの数値に１を加えて識別コードを変化させているので、受信した無線信号の識別コードの数値は、送信機１０から正規に送信された無線信号を受信する度に増加する。送信機１０から正規に送信された複数の無線信号のうちの一部を受信機３０が受信できなかった場合でも、その傾向は変わらない。
【００４８】
そのため、前回受信した無線信号の識別コードの数値をＢ１とし、今回受信した無線信号の識別コードの数値をＢ２とすると、今回受信した無線信号の識別コードの数値が、前回受信した無線信号の識別コードの数値よりも増加した場合、すなわち、Ｂ２＞Ｂ１となった場合に、受信した無線信号が送信機１０から正規に送信された無線信号であると判定することができる。
【００４９】
一方、送信機１０から送信された無線信号を第３者が不正にコピーして再送信した場合には、不正に送信された無線信号の識別コードは変化しない。また、送信機１０から送信された無線信号を第３者が不正にコピーして再送信するまでの間に、送信機１０から正規に無線信号が送信された場合には、不正に送信された無線信号の識別コードの数値は、送信機１０から正規に送信された最新の無線信号の識別コードの数値よりも小さい値となる。
【００５０】
そのため、今回受信した無線信号の識別コードの数値が前回受信した無線信号の識別コードの数値と等しいか又は減少していた場合、すなわち、Ｂ２≦Ｂ１となった場合に、受信した無線信号が送信機１０から正規に送信された無線信号ではないと判定することができる。
【００５１】
尚、受信機３０が送信機１０から初めて無線信号を受信する場合、判定部３２ｄは、予め定められた初期値（送信機１０側の初期値と同じ数値）と今回受信した無線信号の識別コードの数値とを比較して識別コードの変化を検出している。
【００５２】
駆動部３３は、図示しないＦＡ機器等の本体と接続された駆動回路である。駆動部３３は、ＦＡ機器等を駆動してＦＡ機器等に所定の動作を実行させている。第２制御部３４は、制御用の半導体を有した回路である。第２制御部３４は、信号受信部３１とコード判別部３２と駆動部３３とを制御している。尚、受信機３０には、図示しない電源回路等から常時で電力が供給されている。
【００５３】
無線通信システム１は、このような構成となっている。そして、送信機１０では、スイッチ部１３に対する操作と連動して、信号送信部１１が無線信号を送信している。そして、受信機３０では、送信機１０から送信された無線信号を信号受信部３１が受信し、受信した無線信号に対応して、ＦＡ機器等の所定の動作を実行している。
【００５４】
次に、無線通信システム１の動作手順について、図６及び図７を用いて説明する。図６は、図１に示す送信機１０側の動作手順を示すフローチャートである。図７は、図１に示す受信機３０側の動作手順を示すフローチャートである。
【００５５】
まず、送信機１０側の動作手順について説明する。図６に示すように、まず、ステップＳａ１では、送信機１０が、各回路を停止させた状態で待機する。そして、ステップＳａ２において、スイッチ部１３への操作が無かった場合、ステップＳａ１に戻り、待機を継続する。ステップＳａ２において、スイッチ部１３への操作が有った場合、ステップＳａ３に移動する。
【００５６】
次に、ステップＳａ３では、スイッチ部１３の操作部１３ａに対する操作と連動して発電部１３ｂが発電を行い、発電によって発生させた電力を信号送信部１１とコード生成部１２と第１制御部１４とに供給する。そして、ステップＳａ４では、スイッチ部１３の発電部１３ｂが発生させた誘導起電力をトリガーとして、送信機１０が各回路を起動させる。
【００５７】
次に、ステップＳａ５では、コード生成部１２のコード変化部１２ｂが、第１記憶部１２ａから前回生成した識別コードを読み込む。そして、ステップＳａ６では、コード生成部１２のコード変化部１２ｂが、前回生成した識別コードの数値に１を加えて新しい識別コードを生成する。その結果、新しく生成した識別コードの数値Ａ２は、前回生成した識別コードの数値Ａ１よりも１だけ大きい数値（Ａ２＝Ａ１＋１）となる。
【００５８】
次に、ステップＳａ７では、信号送信部１１が、送信機１０のＩＤ情報と新しい識別コードと制御用の指示情報とを含む無線信号を生成し、生成した無線信号を暗号化する。そして、ステップＳａ８では、信号送信部１１が、暗号化された無線信号を受信機３０に送信する。
【００５９】
次に、ステップＳａ９では、コード生成部１２の第１記憶部１２ａが、新しい識別コードを記憶する。そして、第１記憶部１２ａが記憶する識別コードは、最新のものに更新される。次に、ステップＳａ１０では、送信機１０が、各回路を停止させる。そして、ステップＳａ１に戻り、ステップＳａ１からステップＳａ１０までの手順を繰り返す。
【００６０】
次に、受信機３０側の動作手順について説明する。図７に示すように、まず、ステップＳｂ１では、受信機３０が各回路を起動させる。そして、ステップＳｂ２では、受信機３０が、各回路を起動させた状態で待機する。
【００６１】
次に、ステップＳｂ３では、第２制御部３４が、無線信号の受信の有無に基づいて判断を行う。ステップＳｂ３において、無線信号の受信が無かった場合、ステップＳｂ２に戻って待機を継続する。ステップＳｂ３において、無線信号の受信が有った場合、ステップＳｂ４に移動する。
【００６２】
次に、ステップＳｂ４では、信号受信部３１が、受信した無線信号の暗号を解除すると共に、無線信号を復調してＩＤ情報と識別コードと制御用の指示情報とを取り出す。そして、ステップＳｂ５では、コード判別部３２のＩＤ照合部３２ｂが、ＩＤ情報の照合を行う。
【００６３】
次に、ステップＳｂ６では、第２制御部３４が、ＩＤ情報の照合結果に基づく判断を行う。ステップＳｂ６において、受信した無線信号に含まれるＩＤ情報が予め登録されたＩＤ情報と一致した場合、ステップＳｂ７に移動する。ステップＳｂ６において、受信した無線信号に含まれるＩＤ情報が予め登録されたＩＤ情報と一致しなかった場合、ステップＳｂ２に戻って再び待機する。
【００６４】
次に、ステップＳｂ７では、コード判別部３２の演算部３２ｃが、第２記憶部３２ａから前回受信した無線信号の識別コードを読み込む。そして、ステップＳｂ８では、コード判別部３２の演算部３２ｃが、前回受信した無線信号の識別コードと今回受信した無線信号の識別コードとを比較して、識別コードの変化を検出する。そして、ステップＳｂ９では、コード判別部３２の判定部３２ｄが識別コードの変化に基づいて、受信した無線信号が送信機１０から正規に送信された無線信号か否かを判別する。
【００６５】
ステップＳｂ９では、判定部３２ｄは、今回受信した無線信号の識別コードの数値Ｂ２が、前回受信した無線信号の識別コードの数値Ｂ１よりも増加していた場合（Ｂ２＞Ｂ１となった場合）、受信した無線信号が送信機１０から正規に送信された無線信号であると判定する。また、判定部３２ｄは、今回受信した無線信号の識別コードの数値Ｂ２が、前回受信した無線信号の識別コードの数値Ｂ１と等しいか又は減少していた場合（Ｂ２≦Ｂ１となった場合）、受信した無線信号が送信機１０から正規に送信された無線信号ではない判定する。
【００６６】
次に、ステップＳｂ１０では、第２制御部３４が、ステップＳｂ９での判定結果に基づいて判断を行う。ステップＳｂ１０において、受信した無線信号が送信機１０から正規に送信された無線信号であると判定部３２ｄが判定した場合、ステップＳｂ１１に移動する。ステップＳｂ１０において、受信した無線信号が送信機１０から正規に送信された無線信号ではないと判定部３２ｄが判定した場合、ステップＳｂ２に戻って再び待機する。
【００６７】
次に、ステップＳｂ１１では、駆動部３３が作動し、ＦＡ機器等の所定の動作を実行する。次に、ステップＳｂ１２では、第２記憶部３２ａが、今回受信した無線信号の識別コードを記憶する。そして、第２記憶部３２ａが記憶する識別コードは、最新のものに更新される。そして、ステップＳｂ２に戻り、ステップＳｂ２からステップＳｂ１２までの手順を繰り返す。
【００６８】
無線通信システム１では、このようにして、送信機１０から受信機３０に無線信号を送信している。そして、送信機１０側では、無線信号を送信する度に識別コードを変化させ、受信機３０側では、識別コードの変化に基づいて、受信した無線信号が送信機１０から正規に送信された無線信号か否かを判別している。
【００６９】
次に、本実施形態の効果について説明する。本実施形態の無線通信システム１では、送信機１０は、無線信号を送信する度に、識別コードを変化させて新しい識別コードを生成するコード生成部１２（コード生成手段）を有している。そのため、送信機１０側では、膨大な数の識別コードを予め登録しなくても、無線信号を送信する度に、新しい識別コードを生成することができる。しかも、受信機３０は、識別コードの変化に基づいて、受信した無線信号が送信機１０から正規に送信された無線信号か否かを判別するコード判別部３２（コード判別手段）を有している。そのため、送信機１０から送信された無線信号を第３者が不正にコピーして再送信しても、受信機３０は、識別コードの変化に基づいて、受信した無線信号が送信機１０から正規に送信された無線信号か否かを判別することができる。その結果、この構成の無線通信システム１では、送信機１０と受信機３０との間で双方向通信を行うような複雑な通信を行わなくても無線信号の秘匿性を高めることができる。
【００７０】
また、本実施形態の無線通信システム１では、コード生成部１２は、前回生成した識別コードを記憶する第１記憶部１２ａと、識別コードを所定の変化手順に従って変化させるコード変化部１２ｂと、を有している。そのため、コード生成部１２は、第１記憶部１２ａとコード変化部１２ｂとを用いて、容易に識別コードを変化させることができる。しかも、コード判別部３２は、前回受信した無線信号の識別コードを記憶する第２記憶部３２ａと、前回受信した無線信号の識別コードから今回受信した無線信号の識別コードへの識別コードの変化を検出する演算部３２ｃと、識別コードの変化と変化手順とに基づいて、無線信号が送信機１０から正規に送信された無線信号か否かを判定する判定部３２ｄと、を有している。そのため、コード判別部３２は、第２記憶部３２ａと演算部３２ｃと判定部３２ｄとを用いて、識別コードの変化の検出と、送信機１０から正規に送信された無線信号であるか否かの判別と、を容易に行うことができる。
【００７１】
また、本実施形態の無線通信システム１では、識別コードの変化は、無線信号を送信する度に、識別コードの数値を１だけ増加させるという簡単な変化である。そのため、コード変化部１２ｂは、識別コードの変化を簡単に行うことができる。また、判定部３２ｄは、識別コードに含まれる数値が増加したか否かによって、送信機１０から正規に送信された無線信号か否かを簡単に判別することができる。
【００７２】
また、本実施形態の無線通信システム１では、受信機３０は、無線信号が送信機１０から正規に送信された無線信号であると判定された場合には、無線信号に対応して所定の動作を実行し、無線信号が送信機１０から正規に送信された無線信号ではないと判定された場合には、所定の動作を実行しない。そのため、受信機３０側での誤動作を容易に防止することができる。
【００７３】
また、本実施形態の無線通信システム１では、発電スイッチ２０を送信機１０のスイッチ部１３として使用している。発電スイッチ２０を送信機１０のスイッチ部１３として使用し、発電スイッチ２０が発生させた電力を無線信号を送信するための電力として使用する場合、電力を発生させる時間は発電スイッチ２０を操作した直後に限定される。また、発電スイッチ２０が発電できる電力はそれ程大きくないので、使用できる電力も制限される。そのため、送信機１０は、少ない情報量の無線信号を短時間で受信機３０に送信することが望ましい。それに対して、本実施形態の無線通信システム１では、複雑な通信を行わなくても無線信号の秘匿性を高めることができるので、少ない情報量の無線信号を短時間で受信機に送信し易い。そのため、本実施形態の無線通信システム１は、発電スイッチを送信機に利用するような無線通信システムに好適である。
【００７４】
以上、本発明の実施形態について説明してきたが、本発明は上記の実施形態に限定されず、本発明の目的の範囲を逸脱しない限りにおいて適宜変更することができる。
【００７５】
例えば、本発明の実施形態において、無線通信システム１は、前述した以外の用途に用いられても構わない。例えば、送信機１０は、照明やＴＶやゲーム等の家電製品のリモコンとして使用されても構わない。そして、受信機３０は、照明やＴＶやゲーム機等の家電製品の制御回路と接続された受信機等として使用されても構わない。
【００７６】
また、本発明の実施形態において、無線通信システム１は、複数の送信機１０を備えていても構わない。そして、送信機１０毎に異なるＩＤ情報と識別コードとを含んだ無線信号を送信しても構わない。また、送信機１０は、複数のスイッチ部１３を有していても構わない。そして、送信機１０は、それぞれのスイッチ部１３に対応して異なるＩＤ情報と識別コードとを含んだ無線信号を送信しても構わない。また、本発明の実施形態において、無線通信システム１は、複数の受信機３０を備えていても構わない。そして、送信機１０は、複数の受信機３０に同じＩＤ情報と識別コードとを含んだ無線信号を同時に送信しても構わない。
【００７７】
また、本発明の実施形態において、発電スイッチ２０の構造は、前述した以外の構造であっても構わない。例えば、発電スイッチ２０は、押圧操作に対応して動作するプッシュスイッチであっても構わない。また、発電スイッチ２０は、誘導起電力を利用して発電するのではなく、圧電や静電気等を利用して発電しても構わない。
【００７８】
また、本発明の実施形態において、送信機１０は、発電スイッチ２０を備えた装置ではなく、電池で駆動する通信装置であっても構わない。送信機１０がこのような装置であっても、送信機１０に対する低消費電力化のニーズが存在するので、本実施形態のような、複雑な通信を行わなくても無線信号の秘匿性を高めることができるという効果は有効である。
【００７９】
また、本発明の実施形態において、送信機１０が送信する無線信号は、前述した以外の信号であっても構わない。例えば、送信機１０が送信する無線信号は、３００ＭＨｚ帯、４００ＭＨｚ帯、８００ＭＨｚ帯、２．４ＧＨｚ帯、５ＧＨｚ帯等の周波数の電磁波信号であっても構わない。また、無線信号に加えられる変調は、ＦＳＫ以外の方式のデジタル変調であっても構わない。また、送信機１０が送信する無線信号は、赤外線等を利用した信号であっても構わない。
【００８０】
また、本発明の実施形態において、識別コードの変化は、無線信号を送信する度に、識別コードの数値を１だけ増加させる変化ではなく、２以上の所定の数だけ増加させる変化てあっても構わない。また、識別コードの変化は、無線信号を送信する度に、識別コードの数値を所定の数だけ減少させる変化であっても構わない。また、識別コードの変化は、無線信号を送信する度に、識別コードの文字部分を所定の手順に従って変化させる変化であっても構わない。
【００８１】
また、本発明の実施形態において、受信機３０が受信した無線信号が送信機１０から正規に送信された無線信号ではないと判定された場合、ＦＡ機器等の所定の動作を実行させないだけでなく、ＬＥＤ等の発光素子を点滅させて警報を行う等の特殊処理を行わせても構わない。
【符号の説明】
【００８２】
１  無線通信システム
１０  送信機
１１  信号送信部
１１ａ  送信回路部
１１ｂ  送信アンテナ
１２  コード生成部
１２ａ  第１記憶部
１２ｂ  コード変化部
１３  スイッチ部
１３ａ  操作部
１３ｂ  発電部
１４  第１制御部
２０  発電スイッチ
２１  上カバー
２１ａ  開口部
２２  操作部材
２２ａ  操作ノブ
２３  スペーサ
２３ａ  開口部
２４  回動部材
２４ａ  係合部
２４ｂ  発電用磁石
２５  発電用コイル
２６  磁路形成部材
２７  ケース
２８  接続端子
３０  受信機
３１  信号受信部
３１ａ  受信アンテナ
３１ｂ  受信回路部
３２  コード判別部
３２ａ  第２記憶部
３２ｂ  ＩＤ照合部
３２ｃ  演算部
３２ｄ  判定部
３３  駆動部
３４  第２制御部
【図１】
2015232861.tif 000003
【図２】
2015232861.tif 000004
【図３】
2015232861.tif 000005
【図４】
2015232861.tif 000006
【図５】
2015232861.tif 000007
【図６】
2015232861.tif 000008
【図７】
2015232861.tif 000009
【図８】
2015232861.tif 000010